(57)【特許請求の範囲】
【請求項１】
先端にボール（２１）を回転可能に保持するボールホルダー（２）のインキ通路（３）内に、前記ボール（２１）を前方へ付勢する金属細線よりなる弾発体（４）を配置させたボールペンであって、前記弾発体（４）が、可撓性のロッド部（５）と、該ロッド部（５）と屈曲により一体的に設けられた非弾発性の座部（６）とからなり、前記ロッド部（５）の先端をボール（２１）後面に当接させると共に、前記座部（６）の後端をインキ通路（３）内壁に係止させたことを特徴とするボールペン。
【請求項２】
前記ロッド部（５）をインキ通路（３）内で湾曲状態にさせてなる請求項１のボールペン。
【請求項３】
前記座部（６）がリング状である請求項１又は２のボールペン。
【発明の詳細な説明】
【０００１】
【発明の属する技術分野】
本発明は、ボールペンに関する。詳細には、先端にボールを回転可能に保持するボールホルダーのインキ通路内に、金属細線よりなる弾発体を配置し、前記ボールを前方へ付勢してなるボールペンに関する。さらに詳細には、ボールホルダーのインキ通路内にインキ誘導部材を配置させずに、ボールホルダー内を直接、インキ通路とするタイプのボールペン（例えば、水性ゲルインキボールペン、低粘度油性インキボールペン、又は修正ペンなどの高粘度塗布液用ボールペン）に関する。
【０００２】
【従来の技術】
従来のこの種のボールペンにおいて、インキの逆流、インキの過剰漏出、及びインキの蒸発等を防止する目的で、ボールホルダー内のインキ通路にスプリングを収容させ、該スプリングでボールを前方へ付勢して、ボールをボールホルダーの口元内周面に圧接させ、該口元をボールでシールしてなる構成が知られている。
【０００３】
例えば、特開平７−２９０８７４号公報には、先端がボールに当接するストレート部と、弾発性（バネ性）を有する圧縮コイルスプリング部とが一体に形成されたスプリングが開示されている。又、実開平７−１２２８０号公報には、先端が縮径されたコイルスプリングによって、ボールを前方へ付勢してなる構成が開示されている。
【０００４】
【発明が解決しようとする課題】
前記従来のボールペンは、製造工程において、弾発体の複数個を、パーツフィーダ内や保管用袋内で集合状態にさせると、弾発体は互いの圧縮コイルスプリング部の間で絡まりやすい。一旦、圧縮コイルスプリング部同士が絡まると、それを解くのは容易ではなく、製造工程の作業効率を低下させることになる。
【０００５】
また、前記従来のボールペンは、インキ通路内に存在する弾発体の圧縮コイルスプリング部が、円滑なインキ流通の妨げになり、インキ追従性を低下させ、筆跡途切れや筆跡カスレを生じさせやすい。これは、インキ通路が、比較的小さい（具体的には、インキ通路の内径が１ｍｍ以下の小さい内径を有する）場合に発生しがちである。
【０００６】
本発明は、前記従来の問題点を解決するものであって、弾発体同士が絡み合うことを防止して製造工程の作業効率を向上させると共に、ボールホルダーのインキ通路内でインキをスムーズに流通させ、筆跡のかすれや途切れのないボールペンを提供しようとするものである。
【０００７】
【課題を解決するための手段】
（概要）
本発明は、先端にボール２１を回転可能に保持するボールホルダー２のインキ通路３内に金属細線よりなる弾発体４を配置し、前記ボール２１を前方へ付勢してなるボールペン１であって、前記弾発体４が、可撓性のロッド部５と、該ロッド部５と屈曲により一体的に設けられた非弾発性の座部６とからなり、前記ロッド部５の先端をボール２１後面に当接させると共に、前記座部６の後端をインキ通路３内壁に係止させたことを要件とする。
【０００８】
前記構成により、弾発体４が、従来のような圧縮コイルスプリング部を備えず、非弾発性（非バネ性）の座部６を備えるため、製造工程中、弾発体４は、パーツフィーダ内や保管用袋内で、集合状態にされても、互いに絡み合うことがなく、製造工程の作業効率を低下させるおそれがない。また、座部６が非弾発性であって従来のようなコイルスプリング部ではないため、インキ通路３内のインキ流通抵抗が小さくなり、スムーズなインキ流通が可能となる。その結果、インキの追従性が向上し、筆跡途切れや筆跡かすれを生じさせることがない。
【０００９】
（ロッド部）
前記ボールペン１において、前記ロッド部５をボールホルダー２のインキ通路３内で湾曲状態に保持させ、ボール２１を前方へ付勢してなることが有効である。それにより、ロッド部５に座屈方向の弾発力が発生し、該弾発力によりボール２１を前方へ付勢し、非筆記時、ボールホルダー２の口元部２３がシールされる。そのため、本来の弾発体４としての機能（即ち、インキ逆流防止機能、インキボタ落ち防止機能、及びインキ蒸発防止機能）が十分に発揮される。
【００１０】
（座部）
前記ボールペン１において、前記座部６は、非弾発性、即ち、非コイルスプリング状であればよく、その形状は、例えば、リング状（図３，図４，図５参照）、直線状（図７参照）等、いずれであってもよいが、その中でも、リング状が、インキ通路３内壁の係止部７２と安定した係止状態をなす点で好ましい。
【００１１】
また、前記リング状の座部６は、例えば、１重リング状（図３参照）、又は複数回巻いたリング状、例えば２重リング状（図５参照）が挙げられる。前記座部６が１重リング状の場合は、端部が閉じた完全なリング状（図３参照）の他、例えば、３／４周のリング（図４参照）、即ち、半周以上の座巻きリング状でもよい。また、前記座部６が複数巻きリング状の場合は、絡みを防止するために、密着コイル状（図５参照）にすることが有効である。また、この他にも、前記座部６の形状は、単純に、ロッド部５の一箇所を屈曲させた構成（図６参照）でもよい。
【００１２】
また、前記座部６の位置は、ロッドの後端部（図１，図２，図５，図６参照）が好ましいが、この他にも、図示はしないが、座部６の前方及び後方にロッド部５を延設させた構成、即ち、座部６をロッド部５の中間部に配設した構成にすることも可能である。
【００１３】
尚、前記弾発体４は、少なくともロッド部５の一部がボールホルダー２内のインキ通路３に収容され、ボール２１を前方へ付勢する構成であればよく、残りのロッド部５又は座部６を、ボールホルダー２の後方のインキ通路３（例えばチップホルダー内）に位置させてもよい。
【００１４】
（係止部）
インキ通路３内壁には、座部６が係止可能な係止部７２（即ち内方突起）が設けられる。前記係止部７２を配設する位置は、インキ通路３の内壁であるなら、ボールホルダー２内壁や、ボールホルダー後方のインキ通路３内壁のいずれでもよい。また、前記係止部３は、ボールホルダー２に別部材（例えば、チップホルダー等）の取り付けにより形成する構成、又はボールホルダー２の周壁を内方変形させることにより、一体的に形成する構成等のいずれでもよい。また、前記係止部７２箇所のインキ通路３の内径（正確には最大内径）は、座部６の外径（正確には最大外径）よりも小さく設定される。それにより、座部６が係止部７２に確実に係止される。
【００１５】
【発明の実施の形態】
本発明の実施の形態について、図面に従って説明する。
【００１６】
図１，図２，及び図３に第１実施例を示す。
【００１７】
（ボールホルダー）
ボールホルダー２は、外径０．３ｍｍの超硬合金製のボール２１を、先端に回転可能に抱持した金属製（例えばステンレス鋼製）の薄肉パイプからなる。前記ボールホルダー２の先端は、ボール２１のサイズに対応して縮径され、その外周面の３カ所が等間隔に外方から内方に押圧変形されて複数の内方突起が形成され、それにより、ボール受け座２２が形成される。さらに、前記ボールホルダー２の先端には、内方へ押圧変形されて内向きの口元部２３が形成される。即ち、前記ボール受け座２２の前面と前記口元部２３の後面の間に、ボール２１が収容され、前記ボール２１が、前記ボール受け座２２及び前記口元部２３によって回転可能に抱持される。
【００１８】
（チップホルダー）
合成樹脂製のチップホルダー７に、前記ボールホルダー２が取り付けられる。前記チップホルダー７は、その先端に取付孔７１を備え、且つ該取付孔７１の内壁に環状の係止部７２を備えている。そして、前記取付孔７１にボールホルダー２が圧入固着されると同時に、前記係止部７２にボールホルダー２の後端が当接される。
【００１９】
（弾発体）
前記ボールホルダー２内には、インキ通路３（内径０．３２ｍｍ〜０．５ｍｍ）が形成され、ボール２１後面と係止部７２との間の前記インキ通路３内に、弾発体４が収容配置される。前記弾発体４は、ステンレス鋼製の線材（外径０．０８ｍｍ）よりなり、直線状のロッド部５（長さ６ｍｍ）と、該ロッド部５の後端部に屈曲によって一体的に形成したリング状の座部６（外径０．４５ｍｍ）とから構成される。
【００２０】
前記ロッド部５は、インキ通路３内において、湾曲して撓んだ状態（即ち弾発状態・このとき弾発力は２グラム〜２０グラム）にあり、その先端がボール２１後面を前方へ押圧し、非筆記時、ボール２１を口元部２３内周面に圧接させている。一方、筆記時、ボール２１は、前記ロッド部５の前方付勢に抗して、紙面によって後方へ押圧される。それにより、ボール２１と口元部２３との密接が解除され、ボール２１の回転に伴ってインキが紙面に導出される。
【００２１】
また、前記座部６は、その後面がチップホルダー７の係止部７２に当接係止されている。前記座部６は、リング形状を有するため、係止部７２と安定した係止状態が維持され、特に、本実施例では、端部が閉鎖された完全なリング形状であるため、製造過程で、座部６同士が互いに絡み合うこともない。また、前記座部６は、リング状であり、係止部７２でのインキ通路３を塞ぐことがなく、さらに、圧縮コイルスプリング形状ではないため、インキ通路３内のインキ流通抵抗を減少させる。その結果、インキ通路３内のインキの追従性が向上し、筆跡途切れや筆跡かすれの発生を抑制できる。
【００２２】
尚、本実施例では、前記ロッド部５と前記座部６の連接部分は、リング状座部６の中心に位置し、インキ通路３内の軸線方向に前記ロッド部５を配設させることが可能となり、ボール２１を軸線方向に真っ直ぐに前方付勢させることができ、ボール２１の回転ムラを防ぐ。この他にも図示はしないが、リング状座部６の周上に、ロッド部５と座部６の連接部分を位置させる構成でもよい。
【００２３】
図４に、弾発体４の変形例を示す（図２のＡ−Ａ線断面に対応）。これは、第１実施例の変形例であり、座部６の形状が、３／４周のリング状である。前記座部６は、第１実施例（図３参照）と異なり、リング状座部６のリングが開口しているが、非コイル状（即ち非弾発性）であるため、もし、座部６同士が絡み合っても、容易にその絡みを解くことが可能であり、製造工程の作業効率を低下させるものではない。他の構成は第１実施例と同様である。
【００２４】
図５に、弾発体４の変形例を示す。これは、第１実施例（図２）の変形例であり、座部６の形状が、２重の座巻きリングが密着されたもの（即ち密着コイル状）である。前記座部６が、密着コイル状（即ち非弾発性）であるため、それにより、座部６と座部６が互いに絡み合うことが回避される。
【００２５】
図６及び図７に第２実施例を示す。
ボールホルダー２は、金属材料（例えば、ステンレス鋼、真鍮等）を切削加工によって、ボール受け座２２、及びインキ通路３を形成したものである。前記ボールホルダー２の先端には、外径０．４ｍｍの超硬合金製のボール２１が、内向きの口元部２３とボール受け座２２とにより、回転自在に抱持されている。そして、前記ボールホルダー２は、合成樹脂製のチップホルダー７の取付孔７１に圧入固着され、第１実施例同様、その後端が、環状の係止部７２に当接係止されている。
【００２６】
前記インキ通路３は、ボール受け座２２から後方に向かうに従い階段状に拡径されており、そこに、弾発体４が収容されている。前記弾発体４は、金属線材（ステンレス鋼製，線径０．０８ｍｍ）がＬ字状に屈曲され、直線状のロッド部５（長さ５ｍｍ）と、直線状の座部６（長さ１．０ｍｍ）とが一体に連接された構成である。そして、前記ロッド部５が、先端をボール２１後面に当接させ湾曲付勢状態にあり、ボール２１を前方へ押圧すると同時に、前記座部６が、環状の係止部７２にインキ流通可能に係止されている。
【００２７】
図８に本発明の第１実施例（図１〜図３）のボールペン１の全体を示す。これは、軸筒内に交換可能に収容されるボールペンレフィルである。前記レフィルは、主に、先端にボール２１を回転自在に抱持する金属製のボールホルダー２と、前記ボールホルダー２を先端に固着させた合成樹脂製のチップホルダー７と、前記チップホルダー７を先端に固着させたインキ収容管８と、前記インキ収容管８後端に取り付けた通気孔付き尾栓９とからなる。
【００２８】
前記インキ収容管８は、半透明の合成樹脂からなり、その内部には、油性インキ８１（粘度１０００〜１００００ｍＰａ・ｓ）が直接充填され、さらに、前記インキ８１の後端には、インキ消費に伴ってペン先方向へ移動するグリス状の逆流防止剤８２が充填されている。
【００２９】
【発明の効果】
本発明ボールペンは、請求項１の構成（即ち、弾発体が、可撓性のロッド部と、該ロッド部と屈曲により一体的に設けられた非弾発性の座部とからなる構成）により、弾発体同士が絡み合うことが抑制され、製造工程が円滑なものになると共に、ボールホルダーのインキ通路のインキ流通抵抗が減少し、インキ追従性が向上する。
【００３０】
また、請求項２の構成（即ち、ロッド部をインキ通路内で湾曲状態にさせてなる構成）により、本来の弾発体としての機能（即ち、インキ逆流防止機能、インキボタ落ち防止機能、及びインキ蒸発防止機能）が十分に発揮される。
【００３１】
また、請求項３の構成（即ち、座部がリング状である構成）により、座部がインキ通路内壁と安定した係止状態をなす。
【図面の簡単な説明】
【図１】本発明ボールペンの第１実施例を示す要部拡大縦断面図である。
【図２】図１の弾発体の縦断面図である。
【図３】図２のＡ−Ａ線断面図である。
【図４】図２のＡ−Ａ線断面図（図３の変形例）である。
【図５】弾発体の他の例（図２の変形例）を示す縦断面図である。
【図６】本発明ボールペンの第２実施例を示す要部拡大縦断面図である。
【図７】図６のＢ−Ｂ線断面図である。
【図８】図１の本発明ボールペンの縦断面図である。
【符号の説明】
１  ボールペン
２  ボールホルダー
２１  ボール
２２  ボール受け座
２３  口元部
３  インキ通路
４  弾発体
５  ロッド部
６  座部
７  チップホルダー
７１  取付孔
７２  係止部
８  インキ収容管
８１  インキ
８２  逆流防止剤
９  尾栓
【図１】
0003637430.tif 000002
【図２】
0003637430.tif 000003
【図３】
0003637430.tif 000004
【図４】
0003637430.tif 000005
【図５】
0003637430.tif 000006
【図６】
0003637430.tif 000007
【図７】
0003637430.tif 000008
【図８】
0003637430.tif 000009